(57)【要約】【課題】水平材及び垂直材に対するネジ体のねじ込み角度を正確に管理可能で、そうでありながら簡素な構造で、加えて、木造建築物の補強箇所に応じた形状変更を行う必要のない、補強金物の提供。【解決手段】一枚の金属板２を、これを左右に区分する仮想の第一直線ｘに沿って屈曲させてなると共に、前記第一直線ｘを挟んだ一方側を水平材Ｈに対する取付板部３とし、他方側を起立板部４とし、前記起立板部４における前記金属板２を上下に区分する仮想の第二直線ｙを挟んだ一方側Ｓ１に位置される箇所に木材にねじ込み可能なネジ体５の第一通し穴４０を設け、前記取付板部３における前記第二直線ｙを挟んだ他方側Ｓ２に位置される箇所に前記ネジ体５の第二通し穴３０を設けさせてなる。【選択図】図９
2017179795.tif 000002
【特許請求の範囲】
【請求項１】
一枚の金属板を、これを左右に区分する仮想の第一直線に沿って屈曲させてなると共に、
前記第一直線を挟んだ一方側を水平材に対する取付板部とし、他方側を起立板部とし、
前記起立板部における前記金属板を上下に区分する仮想の第二直線を挟んだ一方側に位置される箇所に木材にねじ込み可能なネジ体の第一通し穴を設け、
前記取付板部における前記第二直線を挟んだ他方側に位置される箇所に前記ネジ体の第二通し穴を設けさせてなる、木造建築物の補強金物。
【請求項２】
前記金属板の屈曲内側において前記取付板部と前記起立板部とのなす角度を、実質的に４５度とさせてなる、請求項１に記載の木造建築物の補強金物。
【請求項３】
前記起立板部における前記第二直線を挟んだ他方側に位置される箇所に、前記第一通し穴に対し前記第二直線を中心とした線対称となるように追加の第一通し穴を設け、
前記取付板部における前記第二直線を挟んだ一方側に位置される箇所に、前記第二通し穴に対し前記第二直線を中心とした線対称となるように追加の第二通し穴を設けさせてなる、請求項１又は請求項２に記載の木造建築物の補強金物。
【請求項４】
前記取付板部における屈曲側辺部に対向する端末側辺部であって、前記第二直線上に位置される箇所に、段差部を形成させてなる、請求項３に記載の木造建築物の補強金物。
【請求項５】
前記取付板部を前記水平材に固定するために前記取付板部に形成された軸状固定体の通し穴を通じた前記取付板部の正面からの前記水平材への前記軸状固定体の打ち込みを妨げないように、前記起立板部を形成させてなる、請求項１〜請求項４のいずれか１項に記載の木造建築物の補強金物。
【請求項６】
請求項１〜請求項５のいずれか１項に記載の補強金物の取付板部を水平材に固定すると共に、
前記補強金物の起立板部の第一通し穴と前記取付板部の第二通し穴とを通じて垂直材に打ち込まれるネジ体によって前記水平材と前記垂直材とを一体化させてなる、木造建築物の補強構造。
【請求項７】
二個の補強金物を、取付板部における屈曲側に対向する端末側辺部同士を突き合わせ、かつ、起立板部における屈曲側に対向する端末側辺部同士を突き合わせるようにして組み合わせると共に、
木造建築物の出隅部を構成する一対の水平材の突き合わせ箇所に、前記のように組み合わされた二個の補強金物の前記取付板部の前記端末側辺部が位置されるようにして、木造建築物の建物内側より二個の補強金物をそれぞれ対応する前記水平材に固定し、
二個の補強金物のそれぞれにおいて、前記起立板部の第一通し穴と前記取付板部の第二通し穴とを通じて垂直材に打ち込まれるネジ体によって前記水平材と前記垂直材とを一体化させてなる、請求項６に記載の木造建築物の補強構造。
【請求項８】
木造建築物の入隅部を構成する垂直材における水平材の水平面との間に直角を形成する側面に沿った仮想の垂直面に、補強金物の前記取付板部における屈曲側に対向する端末側辺部を沿わせるようにして、木造建築物の建物内側より二個の補強金物をそれぞれ対応する前記水平材に固定し、
二個の補強金物のそれぞれにおいて、前記起立板部の第一通し穴と前記取付板部の第二通し穴とを通じて垂直材に打ち込まれるネジ体によって前記水平材と前記垂直材とを一体化させてなる、請求項６に記載の木造建築物の補強構造。
【発明の詳細な説明】
【技術分野】
【０００１】
この発明は、木造建築物を構成する水平材と垂直材との一体性を強化・向上させるために用いられる補強金物、及び、これを利用した補強構造に関する。
【背景技術】
【０００２】
布基礎の側面に固定される布基礎固定部材と、この布基礎の側面に対して鋭角に立ち上がる係止片との２パーツからなり、係止片を貫通するボルト部材を土台を通じて柱にねじ込むようにした補強具がある（特許文献１参照）。
【０００３】
かかる補強具では、ボルト部材は係止片に形成された貫通孔を通じて土台及び柱にねじ込まれる。ボルト部材の施工角度は係止片の角度によってある程度は制御されるが、正確に管理することはできない。
【０００４】
また、かかる補強具では、布基礎のコーナー部分への適用を考慮した場合や、柱の真下からずれた位置にしか布基礎固定部材を設置できない場合には、布基礎固定部材や係止片にこれを考慮した形状変更を必要とさせる。つまり、一棟の木造建築物の補強をなすためには複数種類の補強具を用意せざるを得ないものである。
【先行技術文献】
【特許文献】
【０００５】
【特許文献１】特開２００４−１１２３１号公報
【発明の概要】
【発明が解決しようとする課題】
【０００６】
この発明が解決しようとする主たる問題点は、補強金物に関しては、木造建築物を構成する水平材と垂直材との一体性を強化・向上させる補強金物を、前記水平材及び垂直材に対するネジ体のねじ込み角度を正確に管理可能なものとして、そうでありながら簡素な構造のものとして、加えて、木造建築物の補強箇所に応じた形状変更を行う必要のないものとして、提供可能とする点にある。
【０００７】
また、補強構造に関しては、前記補強金物を利用して、木造建築物を構成する水平材と垂直材との一体性を適切に強化・向上可能とする点にある。
【課題を解決するための手段】
【０００８】
前記課題を達成するために、この発明にあっては、木造建築物の補強金物を、一枚の金属板を、これを左右に区分する仮想の第一直線に沿って屈曲させてなると共に、
前記第一直線を挟んだ一方側を水平材に対する取付板部とし、他方側を起立板部とし、
前記起立板部における前記金属板を上下に区分する仮想の第二直線を挟んだ一方側に位置される箇所に木材にねじ込み可能なネジ体の第一通し穴を設け、
前記取付板部における前記第二直線を挟んだ他方側に位置される箇所に前記ネジ体の第二通し穴を設けさせてなる、ものとした。
【０００９】
前記金属板の屈曲内側において前記取付板部と前記起立板部とのなす角度は、実質的に４５度とさせておくことが、この発明の好ましい態様の一つとされる。
【００１０】
また、前記起立板部における前記第二直線を挟んだ他方側に位置される箇所に、前記第一通し穴に対し前記第二直線を中心とした線対称となるように追加の第一通し穴を設け、
前記取付板部における前記第二直線を挟んだ一方側に位置される箇所に、前記第二通し穴に対し前記第二直線を中心とした線対称となるように追加の第二通し穴を設けさせておくことが、この発明の好ましい態様の一つとされる。
【００１１】
また、前記取付板部における屈曲側辺部に対向する端末側辺部であって、前記第二直線上に位置される箇所に、段差部を形成させておくことが、この発明の好ましい態様の一つとされる。
【００１２】
また、前記取付板部を前記水平材に固定するために前記取付板部に形成された軸状固定体の通し穴を通じた前記取付板部の正面からの前記水平材への前記軸状固定体の打ち込みを妨げないように、前記起立板部を形成させておくことが、この発明の好ましい態様の一つとされる。
【００１３】
また、前記課題を達成するために、この発明にあっては、木造建築物の補強構造を、前記補強金物の取付板部を水平材に固定すると共に、
前記補強金物の起立板部の第一通し穴と前記取付板部の第二通し穴とを通じて垂直材に打ち込まれるネジ体によって前記水平材と前記垂直材とを一体化させてなる、ものとした。
【００１４】
二個の前記補強金物を、取付板部における屈曲側に対向する端末側辺部同士を突き合わせ、かつ、起立板部における屈曲側に対向する端末側辺部同士を突き合わせるようにして組み合わせると共に、
木造建築物の出隅部を構成する一対の水平材の突き合わせ箇所に、前記のように組み合わされた二個の補強金物の前記取付板部の前記端末側辺部が位置されるようにして、木造建築物の建物内側より二個の補強金物をそれぞれ対応する前記水平材に固定し、
二個の補強金物のそれぞれにおいて、前記起立板部の第一通し穴と前記取付板部の第二通し穴とを通じて垂直材に打ち込まれるネジ体によって前記水平材と前記垂直材とを一体化させてなるようにすることが、かかる補強構造の好ましい態様の一つとされる。
【００１５】
また、木造建築物の入隅部を構成する垂直材における水平材の水平面との間に直角を形成する側面に沿った仮想の垂直面に、補強金物の前記取付板部における屈曲側に対向する端末側辺部を沿わせるようにして、木造建築物の建物内側より二個の補強金物をそれぞれ対応する前記水平材に固定し、
二個の補強金物のそれぞれにおいて、前記起立板部の第一通し穴と前記取付板部の第二通し穴とを通じて垂直材に打ち込まれるネジ体によって前記水平材と前記垂直材とを一体化させてなるようにすることが、かかる補強構造の好ましい態様の一つとされる。
【発明の効果】
【００１６】
前記補強金物によれば、木造建築物を構成する水平材と垂直材との一体性を強化・向上させる補強金物を、前記水平材及び垂直材に対するネジ体のねじ込み角度を正確に管理可能なものとして、そうでありながら簡素な構造のものとして、加えて、木造建築物の補強箇所に応じた形状変更を行う必要のないものとして、提供することができる。
【００１７】
また、前記補強構造によれば、前記補強金物を利用して、木造建築物を構成する水平材と垂直材との一体性を適切に強化・向上させることができる。
【図面の簡単な説明】
【００１８】
【図１】図１は、この発明の一実施の形態にかかる補強金物の正面図である。
【図２】図２は、前記補強金物の平面図である。
【図３】図３は、前記補強金物の背面図である。
【図４】図４は、前記補強金物の底面図である。
【図５】図５は、前記補強金物の左側面図である。
【図６】図６は、前記補強金物の右側面図である。
【図７】図７は、図１におけるＡ−Ａ線位置での断面図である。
【図８】図８は、図１におけるＢ−Ｂ線位置での断面図である。
【図９】図９は、前記補強金物の斜視図である。
【図１０】図１０は、前記補強金物の二個を組み合わせた状態を示した斜視図である。
【図１１】図１１は、前記補強金物を構成する一枚の金属板を折り曲げる前の状態を示した正面図である。
【図１２】図１２は、二個の前記補強金物を使用して水平材と垂直材とを一体化させた様子を示した平面構成図である。
【図１３】図１３は、図１２の状態の側面構成図である。
【図１４】図１４は、図１２の状態の斜視構成図である。
【図１５】図１５は、二個の前記補強金物を使用して木造建築物の出隅部を構成する水平材と垂直材とを一体化させた様子を示した平面構成図であり、図１５の右下側が建物内側となる。
【図１６】図１６は、図１５の状態の側面構成図である。
【図１７】図１７は、図１５の状態の斜視構成図である。
【図１８】図１８は、二個の前記補強金物を使用して木造建築物の入隅部を構成する水平材と垂直材とを一体化させた様子を示した平面構成図であり、図１５の左上側が建物内側となる。
【図１９】図１９は、図１８の状態の側面構成図である。
【図２０】図２０は、図１８の状態の斜視構成図である。
【発明を実施するための形態】
【００１９】
以下、図１〜図２０に基づいて、この発明の典型的な実施の形態について、説明する。この実施の形態にかかる補強金物１は、木造建築物を構成する水平材Ｈに取り付けられた状態において、木材にねじ込み可能なネジ体５を前記水平材Ｈとこの水平材Ｈに組み合わされた垂直材Ｐとに亘ってねじ込まれるように案内して、前記水平材Ｈと前記垂直材Ｐとの一体性を前記補強金物１と前記ネジ体５とによって強化・向上させるものである。
【００２０】
前記ネジ体５としては、先端側にのみ雄ネジ部を備え、前記水平材Ｈから前記垂直材Ｐに達するに充分な長さを持ち、木ネジと同じように機能するものを用いる。前記ネジ体５は、前記水平材Ｈに先穴（下穴）を施しておかなくても前記水平材Ｈにインパクトドライバーによりねじ込み可能な構成となっている。また、前記ネジ体５は、長尺であるが小径で、前記ねじ込みに際して、前記水平材Ｈに割れなどを生じるおそれのないものとなっている。前記ネジ体５としては、典型的には、太さ４〜８ｍｍ、長さ１０〜３０ｃｍのものを用いる。
【００２１】
かかる補強金物１の典型的な用途の一つとしては、かかる補強金物１は、水平材Ｈとしての土台に取り付けられて、垂直材Ｐとしての柱の柱脚側と前記土台との一体性を強化・向上させるために用いることができる。この場合には、前記ネジ体５は、前記補強金物１によって、斜め上方に案内されて、土台を通じて柱にねじ込まれることとなる。
【００２２】
また、かかる補強金物１の典型的な用途の一つとしては、かかる補強金物１は、水平材Ｈとしての大引に取り付けられて、垂直材Ｐとしての柱の柱脚側と前記大引との一体性を強化・向上させるために用いることができる。この場合には、前記ネジ体５は、前記補強金物１によって、斜め上方に案内されて、土台を通じて柱にねじ込まれることとなる。
【００２３】
また、かかる補強金物１の典型的な用途の一つとしては、かかる補強金物１は、水平材Ｈとしての梁に取り付けられて、垂直材Ｐとしての柱の柱頭側と前記梁との一体性を強化・向上させるために用いることができる。この場合には、前記ネジ体５は、前記補強金物１によって、斜め下方に案内されて、梁を通じて柱にねじ込まれることとなる。
【００２４】
前記補強金物１は、一枚の金属板２（図１１参照）に前記ネジ体５の後述の第一通し穴４０と第二通し穴３０を形成させると共に、この金属板２を屈曲させることで、構成可能となっている。すなわち、前記補強金物１は、構造上簡素であり、したがって製造容易であり、安価に提供可能なものとなっている。
【００２５】
具体的には、前記補強金物１は、前記一枚の金属板２を、これを左右に区分する仮想の第一直線ｘ（図１１参照）に沿って屈曲させてなると共に、
前記第一直線ｘを挟んだ一方側を水平材Ｈに対する取付板部３とし、他方側を起立板部４とし、
前記起立板部４における前記金属板２を上下に区分する仮想の第二直線ｙ（図１１参照）を挟んだ一方側Ｓ１に位置される箇所に木材にねじ込み可能なネジ体５の第一通し穴４０を設け、
前記取付板部３における前記第二直線ｙを挟んだ他方側Ｓ２に位置される箇所に前記ネジ体５の第二通し穴３０を設けさせた構成となっている。
【００２６】
図１１においては、第二直線ｙの下側が第二直線ｙを挟んだ一方側Ｓ１となり、第二直線ｙを挟んだ上側が第二直線ｙを挟んだ他方側Ｓ２となっている。
【００２７】
前記取付板部３は、起立板部４の一面に向き合う正面３１と、背面３２とを有する。前記取付板部３は、その背面３２を前記水平材Ｈに添装させた状態で、後述の通し穴３３を利用して木ネジや釘などの軸状固定体６によって前記水平材Ｈに固定されるようになっている。前記起立板部４は、前記取付板部３の正面３１の前方に位置される。すなわち、前記金属板２は、前記取付板部３の正面３１側を屈曲内側とするように屈曲され、この屈曲内側において前記取付板部３と前記起立板部４との間には鋭角が形成されるようになっている。
【００２８】
この実施の形態にあっては、前記金属板２の屈曲内側において前記取付板部３と前記起立板部４とのなす角度を、実質的に４５度とさせている。
【００２９】
図示の例では、前記取付板部３は、前記第一直線ｘに沿った屈曲側辺部３４と、これに対向する端末側辺部３５と、前記第二直線ｙに平行な二箇所の横向き辺部３６とを持ち、縦方向に長く、横方向に短い構成となっている。
【００３０】
また、この実施の形態にあっては、前記取付板部３における端末側辺部３５であって、前記第二直線ｙ上に位置される箇所に、段差部３７を形成させている。
【００３１】
図１１においては、前記取付板部３における前記屈曲側辺部３４と前記端末側辺部３５との間の距離は、前記第二直線ｙを挟んだ一方側Ｓ１よりも前記第二直線ｙを挟んだ他方側Ｓ２で大きくなっており、これにより、前記第二直線ｙ上に位置される箇所に段差部３７が形成されている。
【００３２】
前記第二通し穴３０は、前記取付板部３を貫通する長穴となっている。前記第二通し穴３０の一方穴端は、前記第二直線ｙ側に位置され、前記第一直線ｘに平行で、かつ、前記取付板部３を左右に区分する仮想の第三直線ｘ’上に位置されている（図１１参照）。前記第二通し穴３０の他方穴縁は、前記第三直線ｘ’と前記端末側辺部３５との間において前記第三直線ｘ’に平行な仮想の第四直線ｘ”上に位置されている（図１１参照）。すなわち、前記第二通し穴３０は、鉛直線（図示は省略する。）に対してその長軸を斜めに交叉するように形成されている。
【００３３】
また、図示の例では、前記起立板部４は、前記第一直線ｘに沿った屈曲側辺部４１と、これに対向する端末側辺部４２と、前記屈曲側辺部４１と前記端末側辺部４２間に位置される横向き辺部４３とを持ち、縦方向に長く、横方向に短い構成となっている。
【００３４】
前記起立板部４の長さ及び幅は、いずれも、前記取付板部３の長さ及び幅よりも小さくなっている。
【００３５】
前記起立板部４の屈曲側辺部４１の上端４１ａは前記取付板部３の屈曲側辺部３４の上端３４ａより下方に位置し、前記前記起立板部４の屈曲側辺部４１の下端４１ｂは前記取付板部３の屈曲側辺部３４の下端３４ｂより上方に位置している（図１１参照）。
【００３６】
また、前記起立板部４の端末側辺部４２の長さは、前記屈曲側辺部４１の長さよりも短く、上側の横向き辺部４３及び下側の横向き辺部４３はいずれも、前記屈曲側辺部４１から前記端末側辺部４２に向かうに連れて、前記起立板部４の長さを漸減させるように傾斜している。
【００３７】
前記第一通し穴４０は、前記起立板部４を貫通する穴であって、かつ、上下方向に長軸側を向けた長穴となっている。
【００３８】
前記取付板部３を前記水平材Ｈに固定させた状態から、前記起立板部４の第一通し穴４０に通したネジ体５を前記取付板部３の第二通し穴３０とを通じて前記水平材Ｈにねじ込むようにすると、ネジ体５は水平材Ｈを通って前記垂直材Ｐにねじ込まれる。これにより、前記補強金物１によれば、前記ネジ体５が水平材Ｈと前記垂直材Ｐとにねじ込まれる角度を正確に管理することができ、前記補強金物１と前記ネジ体５とにより前記水平材Ｈと前記垂直材Ｐとを所定の耐力を発揮する状態で適切に一体化させることができる（図１２〜図２０）。
【００３９】
また、この実施の形態にあっては、前記起立板部４における前記第二直線ｙを挟んだ他方側Ｓ２に位置される箇所に、前記第一通し穴４０に対し前記第二直線ｙを中心とした線対称となるように追加の第一通し穴４４を設け、
前記取付板部３における前記第二直線ｙを挟んだ一方側Ｓ１に位置される箇所に、前記第二通し穴３０に対し前記第二直線ｙを中心とした線対称となるように追加の第二通し穴３８を設けさせた構成となっている。
【００４０】
これにより、この実施の形態にあっては、前記追加の第一通し穴４４と前記追加の第二通し穴３８とを利用して前記ネジ体５を水平材Ｈと前記垂直材Ｐとに管理されたねじ込み角度をもってねじ込ませることもできる。
【００４１】
また、図示の例では、同寸・同形の二個の前記補強金物１を、一方の補強金物１に対し他方の補強金物１の向きが天地逆になるようにして、一方の補強金物１の前記取付板部３の端末側辺部３５に他方の補強金物１の前記取付板部３の端末側辺部３５が突き合わされ、さらに、一方の補強金物１の前記起立板部４の端末側辺部４２に他方の補強金物１の前記起立板部４の端末側辺部４２が突き合わされ、さらに、一方の補強金物１の前記段差部３７に他方の補強金物１の段差部３７を突き合わすようにすると、一方の補強金物１の第一通し穴４０、第二通し穴３０、追加の第一通し穴４４、追加の第二通し穴３８と同じレベルにそれぞれ、他方の補強金物１の第一通し穴４０、第二通し穴３０、追加の第一通し穴４４、追加の第二通し穴３８が位置するようにした態様で、二個の補強金物１を組み合わせることができるようになっている（図１０参照）。
【００４２】
図示の例では、二個の前記補強金物１の前記組み合わせ状態において、二個の前記補強金物１の前記取付板部３は正面３１側に９０度の角度を持つように組み合わされるようになっている。
【００４３】
また、この実施の形態にあっては、前記取付板部３を前記水平材Ｈに固定するために前記取付板部３に形成された軸状固定体６の通し穴３３を通じた前記取付板部３の正面３１からの前記水平材Ｈへの前記軸状固定体６の打ち込みを妨げないように、前記起立板部４を形成させている。
【００４４】
図示の例では、前記通し穴３３は、前記取付板部３を前後方向に貫通する丸穴となっている。前記通し穴３３は、前記第二直線ｙを挟んだ一方側Ｓ１では、前記第二通し穴３０とこの一方側Ｓ１の横向き辺部３６との間に形成されている。また、前記通し穴３３は、前記第二直線ｙを挟んだ他方側Ｓ２では、前記第二通し穴３０とこの他方側Ｓ２の横向き辺部３６との間に形成されている。図示の例では、前記取付板部３は、上下にそれぞれ前記通し穴３３を備えると共に、この二箇所の通し穴３３も前記第二直線ｙを挟んだ線対称の関係になるようにしてある。
【００４５】
また、前記通し穴３３は、前記第二直線ｙを挟んだ一方側Ｓ１では前記起立板部４の横向き辺部４３よりも上方に位置され、前記第二直線ｙを挟んだ他方側Ｓ２では前記起立板部４の横向き辺部４３よりも下方に位置されている。これにより、前記取付板部３の正面３１からの前記通し穴３３を通じた前記水平材Ｈへの軸状固定体６の打ち込みが可能となっている。
【００４６】
図１２〜図２０は、前記補強金物１の取付板部３を水平材Ｈに固定すると共に、前記補強金物１の起立板部４の第一通し穴４０と前記取付板部３の第二通し穴３０とを通じて垂直材Ｐに打ち込まれるネジ体５によって前記水平材Ｈと前記垂直材Ｐとを一体化させた木造建築物の補強構造をそれぞれ示している。
【００４７】
前記補強金物１と前記ネジ体５とを利用した補強は、木造建築物の建物内側から、具体的には、点検口より進入し床・壁・天井を破壊することなく、床下又は天井裏より、容易に行うことができる。
【００４８】
図１５〜図１７は前記補強金物１と前記ネジ体５とを利用して木造建築物の出隅部の補強をした例を示している。
【００４９】
図１５〜図１７の例では、図１０に示されるように、二個の補強金物１を、取付板部３における屈曲側に対向する端末側辺部３５同士を突き合わせ、かつ、起立板部４における屈曲側に対向する端末側辺部４２同士を突き合わせるようにして組み合わせると共に、
木造建築物の出隅部を構成する一対の水平材Ｈの突き合わせ箇所Ｈａ（図１７参照）に、前記のように組み合わされた二個の補強金物１の前記取付板部３の前記端末側辺部３５が位置されるようにして、木造建築物の建物内側より二個の補強金物１をそれぞれ対応する前記水平材Ｈに固定し、
二個の補強金物１のそれぞれにおいて、前記起立板部４の第一通し穴４０と前記取付板部３の第二通し穴３０とを通じて垂直材Ｐに打ち込まれるネジ体５によって前記水平材Ｈと前記垂直材Ｐとを一体化させている。
【００５０】
図１８〜図２０は前記補強金物１と前記ネジ体５とを利用して木造建築物の入隅部の補強をした例を示している。
【００５１】
図１８〜図２０の例では、木造建築物の入隅部を構成する垂直材Ｐにおける水平材Ｈの水平面Ｈｂ（図示の例では上面）との間に直角を構成する側面Ｐａに沿った仮想の垂直面ｚに、補強金物１の前記取付板部３における屈曲側に対向する端末側辺部３５を沿わせるようにして、木造建築物の建物内側より二個の補強金物１をそれぞれ対応する前記水平材Ｈに固定し、
二個の補強金物１のそれぞれにおいて、前記起立板部４の第一通し穴４０と前記取付板部３の第二通し穴３０とを通じて垂直材Ｐに打ち込まれるネジ体５によって前記水平材Ｈと前記垂直材Ｐとを一体化させている。
【００５２】
図１８〜図２０の例では、二個の補強金物１はそれぞれ、水平材Ｈにおける垂直材Ｐの直下に位置しない箇所にあって、前記仮想の垂直面ｚに前記端末側辺部３５を沿わせるようにして固定されている。また、図２０の左側に位置される補強金物１に対し、右側に位置される補強金物１の向きは天地逆となっている。
【００５３】
なお、当然のことながら、本発明は以上に説明した実施形態に限定されるものではなく、本発明の目的を達成し得るすべての実施形態を含むものである。
【符号の説明】
【００５４】
２  金属板
３  取付板部
３０  第二通し穴
４  起立板部
４０  第一通し穴
５  ネジ体
ｘ  第一直線
ｙ  第二直線
【図１】
2017179795.tif 000003
【図２】
2017179795.tif 000004
【図３】
2017179795.tif 000005
【図４】
2017179795.tif 000006
【図５】
2017179795.tif 000007
【図６】
2017179795.tif 000008
【図７】
2017179795.tif 000009
【図８】
2017179795.tif 000010
【図９】
2017179795.tif 000011
【図１０】
2017179795.tif 000012
【図１１】
2017179795.tif 000013
【図１２】
2017179795.tif 000014
【図１３】
2017179795.tif 000015
【図１４】
2017179795.tif 000016
【図１５】
2017179795.tif 000017
【図１６】
2017179795.tif 000018
【図１７】
2017179795.tif 000019
【図１８】
2017179795.tif 000020
【図１９】
2017179795.tif 000021
【図２０】
2017179795.tif 000022